(57)【要約】【課題】利用者の属性に合わせて初期画像を構築できる情報画面制御装置を、提供する。【解決手段】本発明の情報画面制御装置は、施設を利用する利用者の属性項目を収集する収集部と、収集部で収集された属性項目に基づいて、利用者の属性を決定する属性決定部と、複数の表示コンテンツを記憶するコンテンツ記憶部と、属性決定部で決定された利用者の属性と、表示コンテンツとの最適関係を判断する判断部と、判断部における最適関係に基づいて、情報画面に表示する初期画像を構築する初期画像構築部、と、を備える。【選択図】図４
2020127154.tif 000002
【特許請求の範囲】
【請求項１】
施設を利用する利用者の属性項目を収集する収集部と、
前記収集部で収集された前記属性項目に基づいて、前記利用者の属性を決定する属性決定部と、
複数の表示コンテンツを記憶するコンテンツ記憶部と、
前記属性決定部で決定された前記利用者の属性と、前記表示コンテンツとの最適関係を判断する判断部と、
前記判断部における前記最適関係に基づいて、情報画面に表示する初期画像を構築する初期画像構築部、と、を備える情報画面制御装置。
【請求項２】
前記属性項目は、前記利用者の年齢、性別、国籍、使用言語、施設利用目的および施設利用履歴の少なくとも一つを含む、請求項１記載の情報画面制御装置。
【請求項３】
前記施設が宿泊施設である場合に、
前記収集部は、前記宿泊施設における前記利用者の予約情報もしくはチェックインの手続き情報から、前記属性項目を収集する、請求項１または２記載の情報画面制御装置。
【請求項４】
前記複数の表示コンテンツは、テレビ放送、データ放送、ビデオコンテンツ、インターネット接続コンテンツ、施設情報コンテンツおよび周辺情報コンテンツの少なくとも一つを含む、請求項１から３のいずれか記載の情報画面制御装置。
【請求項５】
前記最適関係は、前記利用者の国籍と、前記複数の表示コンテンツの内、最適な表示コンテンツとの対応関係を含む、請求項１から４のいずれか記載の情報画面制御装置。
【請求項６】
前記最適関係は、前記利用者の使用言語と、前記複数の表示コンテンツの使用言語との対応関係を含む、請求項１から５のいずれか記載の情報画面制御装置。
【請求項７】
前記最適関係は、前記利用者の施設利用履歴と、前記複数の表示コンテンツが含む特別コンテンツとの対応関係を含む、請求項１から６のいずれか記載の情報画面制御装置。
【請求項８】
前記最適関係は、前記利用者の施設利用目的に基づいて、前記複数の表示コンテンツの内、施設情報コンテンツおよび周辺情報コンテンツの少なくとも一つを、前記初期画像に挿入する対応関係を含む、請求項１から７のいずれか記載の情報画面制御装置。
【請求項９】
前記初期画像は、前記最適関係で選択された前記表示コンテンツの初期態様を、一つの画像に含む、請求項１から８のいずれか記載の情報画面制御装置。
【請求項１０】
前記初期画像構築部は、前記初期画像の背景色を、前記属性に基づいて選択する、請求項１から９のいずれか記載の情報画面制御装置。
【請求項１１】
前記初期画像構築部により構築された前記初期画像は、前記利用者によって選択された前記表示コンテンツの利用を可能とする、請求項１から１０のいずれか記載の情報画面制御装置。
【発明の詳細な説明】
【技術分野】
【０００１】
本発明は、種々の情報を表示する情報画面の表示内容を、最適な形態にカスタムして表示する情報画面制御装置に関する。
【背景技術】
【０００２】
テレビなどの近年の受像機は、高度に発達しており、データ放送、インターネット接続、イントラネット接続などの通信機能を有するようになっている。この通信機能によって、地上波のテレビ放送を受信して表示するだけでなく、ネットワークに接続された様々なコンテンツを表示することができる。この様々なコンテンツの表示（テレビ放送も含む）においては、利用者が、操作メニューを用いて操作して、種々の指示ややり取りを行うこともできる。あるいは、インターネットやイントラネットを介したコンテンツを表示したり利用したりできる。
【０００３】
すなわち、現在の受像機は通信機器としての機能を発揮でき、利用者の操作によって、様々な指示を受けてこれを処理できる。すなわち、利用者は、受像機を通信のゲートウェイとして利用できる。更には、利用者は、自身の要望に合わせたコンテンツの選択や表示を行うこともできる。
【０００４】
受像機は、すでに通信機器といえる。逆に言えば、従来は通信機器であったパーソナルコンピュータやサーバー機器などが、表示や受像機能を拡張して、これらが受像機と同じ機能を発揮できるようになってきている。すなわち、現在では、人々の周囲に通信機能と表示機能を併せ持った多数の通信機器が存在している。  
【０００５】
たとえば、いわゆるテレビ受像機は、従来のテレビ放送のみを表示するだけでなく、データ放送、ビデオなどの記録コンテンツ、インターネットに接続された画像コンテンツ、特定の情報コンテンツなどを表示できるようになっている。また、このようなテレビ受像機がホテルなどの宿泊施設に設置される場合には、宿泊施設に関する情報コンテンツを表示できる。
【０００６】
このように、テレビ受像機あるいはパーソナルコンピュータなどは、情報画面を表示する機器として広く活用されている。これらの機器は、様々なコンテンツに対応する情報画面を表示する情報画面表示装置である。
【０００７】
このような情報画面表示装置は、複数のコンテンツを表示できるように、初期画像を表示する。初期画像は、複数のコンテンツのそれぞれに対応する開始画像を表示する。利用者は、リモコンやタッチパネルデバイスを介して、初期画像に表示される複数のコンテンツのいずれかを選択して、利用する。たとえば、初期画像に、テレビ放送、データ放送、ビデオコンテンツ、インターネット接続が含まれているとする。この場合に、利用者はリモコンやタッチパネルデバイスを介して、いずれかのコンテンツを選択する。選択した後で、そのコンテンツの視聴や利用を開始する。
【０００８】
ここで、宿泊施設などに設置されている情報表示装置は、宿泊施設の紹介を行う紹介コンテンツを初期画像に表示していることが多い。このときは、初期画像がこの紹介コンテンツのみであり、他のコンテンツを視聴・利用する場合には、情報画面表示装置を操作して、別のメニュー画像を表示させるなどが必要である。非常に煩雑であることも多い。
【０００９】
あるいは、複数のコンテンツの初期状態を初期画像に表示している場合でも、利用者の属性や嗜好によっては、不適切な初期画像であることも多い。たとえば、情報画面表示装置が宿泊施設に設置されている場合に、宿泊客の属性（年齢、性別、国籍、言語、宿泊目的など）により、ほしいコンテンツや異なることがある。
【００１０】
特に、宿泊施設には多数の居室がある。テレビ受像機などによる情報画面表示装置は、多数の居室のそれぞれに設置されている。このため、居室のそれぞれには異なる属性の宿泊客が泊まることがある。一方、多数の居室のそれぞれに設置されている情報画面表示装置の初期画像は、一定のものでしかない。
【００１１】
このため、居室のそれぞれの宿泊客は、均一で用意および表示された初期画像から、情報画面表示装置を利用する必要があった。宿泊客である利用者の属性は様々であり、均一の初期画像では利用が難しいことがあった。たとえば、言語や嗜好の問題である。あるいは、均一の初期画像では、情報画面表示装置の使用への欲求が高まらないこともあった。
【００１２】
これは、宿泊施設だけでなく、不特定多数の利用者が個別に使用する居室を備える施設においても同様である。居室のそれぞれに設置されている情報画面表示装置の初期画像が均一であることでの、利用者の不便が生じている。
【００１３】
このような中、いくつかの技術が提案されている（例えば、特許文献１、特許文献２、特許文献３参照）
【先行技術文献】
【特許文献】
【００１４】
【特許文献１】特開２００４−４８８０５号公報
【特許文献２】特開２０１５−３９０９４号公報
【特許文献３】特開２０１６−５９０２８号公報
【発明の概要】
【発明が解決しようとする課題】
【００１５】
特許文献１は、スクリーンを備えた表示モニタと、チューナと、テレビ番組リストをスクリーンの第１の領域中に、広告をスクリーンの第２の領域中にそれぞれ表示させるよう構成されたマイクロプロセッサと、１又は２以上の静止画像又は映像をスクリーンの第２の領域中に表示させるようインターネットウェブサイトをマイクロプロセッサに接続する手段とを有することを特徴とするテレビシステムを、開示する。
【００１６】
特許文献１は、テレビ受像機の中に、テレビ放送以外にインターネットコンテンツを利用可能にする技術を提供する。
【００１７】
しかしながら、特許文献１の技術では、利用可能なコンテンツが増えるだけであり、利用者の属性に応じた初期画像のカスタマイズは難しい。複数のテレビ受像機を異なる居室のそれぞれに設置した場合には、均一の初期画像を表示するしかできない。
【００１８】
仮に、居室ごとに初期画像を変えようとすると、テレビ受像機をインターネット接続しているサーバーにおいて、初期画像用のソフトウェアプログラムを個別に作り直す必要がある。宿泊施設などにとっては、非常に困難な作業であり現実的ではない。
【００１９】
特許文献２は、視聴者を撮像するカメラ部と、カメラ部の撮像情報から視聴者を認識するための情報である認識情報を取得する認識情報取得部と、取得した認識情報を用いて視聴者の属性情報を取得する視聴者属性取得部と、認識される視聴者が複数である場合に、視聴者属性取得部にて取得した視聴者の属性情報と所定のルールとを用いて優先視聴者を決定する優先視聴者決定部と、を有するテレビ受像機などの技術を開示する。
【００２０】
特許文献２は、視聴者の属性をカメラで収集して優先視聴者を決定した上で、表示するテレビ放送コンテンツを切り替える技術を開示する。視聴者の属性を考慮しているが、あくまでもテレビ放送でのコンテンツを切り替えるだけであり、テレビ受像機の利用を開始する初期画像を変更することができない。そもそも様々なコンテンツを、一つのテレビ受像機の中で提供することを想定していない。このため、様々な属性を有する利用者に対応する初期画像を表示することができない問題がある。
【００２１】
特許文献３は、テレビ番組表示装置２でテレビ番組を視聴中のユーザのユーザ端末３と通信ネットワークを介してシステムのサーバ１が接続する。サーバ１は、放送局４から取得した映像がＣＭであれば、このＣＭに関連するコンテンツをユーザ端末３に送出する。また、放送局４から取得した字幕情報や映像に含まれるキーワードを抽出し、この抽出したキーワードと関連するコンテンツが制作されているならば、このキーワードとコンテンツのＵＲＬとをユーザ端末３に送出する。さらに、前記キーワードと連動する広告コンテンツが入稿されているならば広告収益性スコアを考慮して選出された広告コンテンツのＵＲＬをユーザ端末３に送出する技術を開示する。
【００２２】
特許文献３は、テレビ放送の内容から適切な広告コンテンツをユーザー端末に創出することで、テレビ視聴と広告とを連動させる。
【００２３】
しかしながら、特許文献３の技術も複数のコンテンツを利用可能にする技術を提供できない問題がある。このため、複数のコンテンツを利用するための初期画像を利用者の属性に応じてカスタムすることが難しい問題がある。
【００２４】
このように、従来技術では、複数のコンテンツを利用するための初期画像を、利用者の属性に適したものにすることができない問題があった。
【００２５】
特に宿泊施設や施設などの不特定多数の利用者が個々の居室に設置される情報画面表示装置を使用する場合には、利用者の属性によって、必要あるいは要望する初期画像は異なる。あるいは、利用者の使用言語によっては、表示される均一の初期画像では、使用が困難との問題もありうる。
【００２６】
一方で、不特定多数の利用者の居室のそれぞれに情報画面表示装置を設置しなければならない状況は多数ある。宿泊施設などでは特に顕著である。数１００台の情報画面表示装置が、居室のそれぞれに設置されている。このような場合には、これらの情報画面表示装置の初期画像を均一にしておくことが無難である。特に、初期画像は、複数の情報画面表示装置を管理するサーバー内部のソフトウェアプログラムによって構築されていることが多い。このため、初期画像を変更しようとすると、サーバー内部のソフトウェアプログラムを変更する必要がある。しかしながら、宿泊施設の管理者などにとっては、この作業は困難である問題がある。
【００２７】
インバウンドによる外国人訪問者の増加など、利用者の属性は多様化する一方である。一方で、サーバー内部のソフトウェアプログラムで、初期画像が一括設定される現状がある。この相反する状況に対して、対応する技術がない問題がある。
【００２８】
本発明は、これらの課題に鑑み、利用者の属性に合わせて初期画像を構築できる情報画面制御装置を、提供することを目的とする。
【課題を解決するための手段】
【００２９】
上記課題に鑑み、本発明の情報画面制御装置は、施設を利用する利用者の属性項目を収集する収集部と、
収集部で収集された属性項目に基づいて、利用者の属性を決定する属性決定部と、
複数の表示コンテンツを記憶するコンテンツ記憶部と、
属性決定部で決定された利用者の属性と、表示コンテンツとの最適関係を判断する判断部と、
判断部における最適関係に基づいて、情報画面に表示する初期画像を構築する初期画像構築部、と、を備える。
【発明の効果】
【００３０】
本発明の情報画面制御装置は、利用者の属性を収集したうえで、利用者の属性を分析できる。この属性に対応して、最適な初期画像を構築して、利用者にとって最適な初期画像を表示させることができる。
【００３１】
特に、利用者の言語に合わせた初期画像を構築できることで、利用者がストレスなく情報画面を使用することができるようになる。結果として、初期画像から利用可能となるコンテンツを、どのような利用者であっても容易に利用できる。
【００３２】
また、収集した属性から自動で初期画像を構築できることで、多数の情報画面表示装置を設置している管理者にとっては、利用者に応じた手動でのカスタムが不要となる。結果として、管理者の手間やコストも低減できる。利用者と管理者との双方のメリットが実現できる。
【図面の簡単な説明】
【００３３】
【図１】ホテルなどの施設の模式図である。
【図２】情報画面の模式図である。
【図３】情報画面の模式図である。
【図４】本発明の実施の形態１における情報画面制御装置のブロック図である。
【図５】本発明の実施の形態１における動作例１により構築された初期画像の模式図である。
【図６】本発明の実施の形態１における動作例２での初期画像の模式図である。
【図７】本発明の初期画像のイメージ図である。
【図８】本発明の初期画像のイメージ図である。
【発明を実施するための形態】
【００３４】
本発明の第１の発明に係る情報画面制御装置は、施設を利用する利用者の属性項目を収集する収集部と、
収集部で収集された属性項目に基づいて、利用者の属性を決定する属性決定部と、
複数の表示コンテンツを記憶するコンテンツ記憶部と、
属性決定部で決定された利用者の属性と、表示コンテンツとの最適関係を判断する判断部と、
判断部における最適関係に基づいて、情報画面に表示する初期画像を構築する初期画像構築部、と、を備える。
【００３５】
この構成により、利用者に最適な初期画像を自動で構築および表示できる。このとき、施設の管理者がサーバー機器のソフトウェアの書き換えや入れ替えを必要としないので、簡易である。
【００３６】
本発明の第２の発明に係る情報画面制御装置では、第１の発明に加えて、属性項目は、利用者の年齢、性別、国籍、使用言語、施設利用目的および施設利用履歴の少なくとも一つを含む。
【００３７】
この構成により、利用者の属性決定の精度を上げることができる。
【００３８】
本発明の第３の発明に係る情報画面制御装置では、第１または第２の発明に加えて、施設が宿泊施設である場合に、
収集部は、宿泊施設における利用者の予約情報もしくはチェックインの手続き情報から、属性項目を収集する。
【００３９】
この構成により、属性項目の収集を効率的かつ自動で行える。また、収集できる属性項目の精度を上げることもできる。
【００４０】
本発明の第４の発明に係る情報画面制御装置では、第１から第３のいずれかの発明に加えて、複数の表示コンテンツは、テレビ放送、データ放送、ビデオコンテンツ、インターネット接続コンテンツ、施設情報コンテンツおよび周辺情報コンテンツの少なくとも一つを含む。
【００４１】
この構成により、利用者の便益に供する初期画像とその後の利用が可能となる。
【００４２】
本発明の第５の発明に係る情報画面制御装置では、第１から第４のいずれかの発明に加えて、最適関係は、利用者の国籍と、複数の表示コンテンツの内、最適な表示コンテンツとの対応関係を含む。
【００４３】
この構成により、国籍に対応する表示コンテンツを表示できる。
【００４４】
本発明の第６の発明に係る情報画面制御装置では、第１から第５のいずれかの発明に加えて、最適関係は、利用者の使用言語と、複数の表示コンテンツの使用言語との対応関係を含む。
【００４５】
この構成により、利用者は言語上のストレスなく、初期画像を利用できる。また、初期画像からの表示コンテンツの利用もストレスなく行える。
【００４６】
本発明の第７の発明に係る情報画面制御装置では、第１から第６のいずれかの発明に加えて、最適関係は、利用者の施設利用履歴と、複数の表示コンテンツが含む特別コンテンツとの対応関係を含む。
【００４７】
この構成により、利用履歴の高い利用者へは情報画面１０１から確実に特典を提供できるようになる。
【００４８】
本発明の第８の発明に係る情報画面制御装置では、第１から第７のいずれかの発明に加えて、最適関係は、利用者の施設利用目的に基づいて、複数の表示コンテンツの内、施設情報コンテンツおよび周辺情報コンテンツの少なくとも一つを、初期画像に挿入する対応関係を含む。
【００４９】
この構成により、利用目的に最適な情報の提供を可能とできる。
【００５０】
本発明の第９の発明に係る情報画面制御装置では、第１から第８のいずれかの発明に加えて、初期画像は、最適関係で選択された表示コンテンツの初期態様を、一つの画像に含む。
【００５１】
この構成により、初期画像からそれぞれの表示コンテンツの内容に入ることができる。
【００５２】
本発明の第１０の発明に係る情報画面制御装置では、第１から第９のいずれかの発明に加えて、初期画像構築部は、初期画像の背景色を、属性に基づいて選択する。
【００５３】
この構成により、利用者の利用を容易化する背景色を実現できる。結果として、より使いやすい初期画像を表示できる。
【００５４】
本発明の第１１の発明に係る情報画面制御装置では、第１から第１０のいずれかの発明に加えて、初期画像構築部により構築された初期画像は、利用者によって選択された表示コンテンツの利用を可能とする。
【００５５】
この構成により、最適な初期画像から、最適な表示コンテンツの利用をすぐに開始できる。
【００５６】
以下、図面を用いながら実施の形態について説明する。
【００５７】
（実施の形態１）
【００５８】
（情報画面）
図１は、ホテルなどの施設の模式図である。施設２００は、ホテル、公共施設、オフィス、特定目的施設など様々であり、施設２００内部に、複数の部屋２０１がある。施設２００の特性上、複数の異なる利用者が、部屋２０１を利用する。たとえば、施設２００がホテルである場合には、日替わりで異なる利用者が、部屋２０１を利用する。このため、ある部屋２０１において、ある日は利用者Ａが利用し、次の日には利用者Ｂが利用することがある。
【００５９】
このとき、利用者Ａと利用者Ｂ（さらには、同じ部屋２０１を利用する利用者Ｃや利用者Ｄ）は、様々な特性が異なる。年齢、性別、国籍、使用言語、宿泊目的、滞在日数などが相違する。
【００６０】
また、施設２００には、複数の部屋２０１があり、それぞれの部屋２０１の利用者の特性もさまざまである。たとえば、ある部屋２０１と別の部屋２０１のそれぞれの利用者Ａと利用者Ｂの年齢、性別、国籍、使用言語、宿泊目的、滞在日数などが相違する。
【００６１】
このように、複数の部屋２０１をある同時間で見た場合でも、特性の異なる利用者が利用している。あるいは同じ部屋２０１を時系列でみる場合にも、特性の異なる利用者が同じ部屋２０１を利用する。
【００６２】
一方で、図１に示されるように、複数の部屋２０１のそれぞれには受像機１００が設置されている。受像機１００は、テレビ機器などであり様々なコンテンツの表示を行う情報画面１０１を備えている。もちろん、受像機１００は、テレビ機器に限定されるものではなく、パーソナルコンピューター、タブレット端末、通信端末など、コンテンツを表示できる情報画面１０１を備えている機器であればよい。
【００６３】
複数の部屋２０１は、施設２００の特性上、画一的あるいは均一的なものとなる。このため、設置されている受像機１００も画一的なものとならざるを得ない。加えて、受像機１００は、上述のように様々なコンテンツを表示する。特に近年では、地上波で放送されるテレビ放送の表示だけでなく、ビデオやインターネットコンテンツなど、様々な態様のコンテンツが表示されるようになっている。
【００６４】
このような状況で、ホテルなどをはじめとする施設２００の部屋２０１に設置される受像機１００は、その情報画面１０１に、複数の表示コンテンツを選択可能にするようになっている。図２、図３は、情報画面の模式図である。
【００６５】
図２、図３に示されるように、上述のような状況では、複数の表示コンテンツを含む初期画像１２０が、情報画面１０１に表示される。初期画像１２０は、複数の表示コンテンツ１１０を含んだ状態である。ここで、初期画像１２０に表示される複数の表示コンテンツ１１０は、それぞれの表示コンテンツに対応するコンテンツを選択して情報画面１０１で視聴や操作を可能とする入口の役割を果たす。
【００６６】
図２と図３とでは、異なる初期画像１２０が示されている。
【００６７】
図２の初期画像１２０には、面積の大きな画像のホテル案内が表示コンテンツ１１０の一つとして表示され、面積の小さな画像の地上波デジタル、ＶＯＤ、音楽ビデオ、インターネットのそれぞれが表示コンテンツ１１０の一つとして表示されている。利用者は、いずれかを選択して表示コンテンツを利用できる。このとき、面積の大きな表示コンテンツ１１０であれば、その内容をうかがい知ることのできる情報量が大きく、ホテル案内であれば、初期画像の段階である程度の内容を確認できる。
【００６８】
図２の初期画像１２０は、ホテル案内をすぐに知りたい利用者やホテル案内を欲求している利用者にとっては便利である。また、情報画面１０１を部屋２０１に備えているホテルにとっては、利用者にホテルを最初に宣伝できるメリットもある。図２の初期画像１２０は、このようなメリットに適している。
【００６９】
図３の初期画像１２０には、面積の小さな画像であるインターネット接続、投稿画像、ＭＡＰ、グルメサイト、ＶＯＤ、地上波デジタル、ＢＳ放送、ＣＳ放送のそれぞれの表示コンテンツ１１０が整然と並んでいる。図２の初期画像１２０に比較すれば、多くの表示コンテンツ１１０の把握が容易である。加えて、多くの表示コンテンツ１１０の利用が可能な状態になっている。
【００７０】
図３の初期画像１２０は、当該ホテルへの宿泊に慣れている利用者や、様々なソースのコンテンツ１１０を利用したい利用者にとっては便利である。
【００７１】
このように、図２、図３の初期画像１２０の構成は異なるものの、違う特性の利用者や提供者にとって異なるメリットを生み出すことができる。しかしながら、ある特性の利用者にとって便利であるということは、異なる特性の利用者にとっては不便であるということである。
【００７２】
たとえば、当該ホテルに何度も宿泊している利用者にとっては、図２の初期画像１２０のホテル案内は不要である。また、ホテル案内の表示コンテンツ１１０が大きいことは不便でもあり不快であることもある。一方、インターネット接続やグルメサイトなどからの情報入手は必要である。これが初期画像１２０にないことは（別の画像に入っていくことで見つかる可能性はあるが）、不便である。また、初期画像１２０に表示されるインターネット接続などの表示コンテンツ１１０が小さいことは、これの利用へのモチベーションが高まらない問題にもつながる。
【００７３】
一方で、ファミリー客や高齢者にとっては、図３のような初期画面１２０は不要であったり、情報量が過多となったりするデメリットもある。ＩＴ機器に不慣れであることで、このように多数の表示コンテンツ１１０が初期画面１２０に表示されることは、ストレスとなることもあり得る。また、ファミリー客の場合には、ＶＯＤなどを子供に視聴させたくないとの思いを持つ利用者もいることがある。
【００７４】
このように、図２の初期画像１２０であっても図３の初期画像１２０であっても、様々に変化する利用者のすべてに適することは難しい。施設２００の提供者側は、最大公約数的な初期画像１２０をいろいろと工夫して作成しても、やはり受け入れやすい利用者と受け入れにくい利用者とを生じさせることは不可避である。
【００７５】
また、このような状況で、利用者ごとに異なる初期画像１２０を、管理者側が個別に作り替えることも困難である。情報画面１０１に表示される初期画像１２０は、たとえば、施設２００に備わるサーバー機器などにアプリケーションソフトウェアとして記憶されており、複数の部屋２０１のすべてに画一的に反映させる仕組みだからである。特に、ＩＴ関連の技術に熟練していない管理者が、サーバー機器に記憶されているアプリケーションソフトウェアを変更することは困難である。
【００７６】
このため、施設２００においては、最大公約数的な初期画像１２０を、すべての部屋２０１に画一的に提供せざるを得ない状態にあった。
【００７７】
本発明の情報画面制御装置は、このような複数の部屋２０１に設置される情報画面１０１の初期画像１２０を、不特定に入れ替わる利用者の属性に合わせてカスタマイズして構成する。このカスタマイズして構成した初期画像を、情報画面１０１に表示して、利用者の便利を高める。加えて、利用者ごとに自動で処理できるので、管理者にとっても便利であり、高いレベルのサービスを利用者に提供できる。
【００７８】
（全体概要）
【００７９】
図４を用いて、実施の形態１における情報画面制御装置の全体概要について説明する。図４は、本発明の実施の形態１における情報画面制御装置のブロック図である。情報画面制御装置１は、収集部２、属性決定部３、コンテンツ記憶部４、判断部５、初期画像構築部６とを備える。
【００８０】
情報画面制御装置１は、たとえば、複数の情報画面１０１とネットワークで接続されるサーバー内部に備わってもよい。あるいは、サーバーとは別個に、当該ネットワークに接続される形態で備わってもよい。情報画面制御装置１は、ハードウェアとソフトウェアの混在によって構成されてもよいし、ソフトウェアのみで構成されてもよい。あるいはハードウェアのみで構成されてもよい。
【００８１】
収集部２は、施設２００を利用する利用差の属性項目を収集する。自動あるいは手動などの種々の手段で利用者の属性項目が得られ、これを介して、収集部２は、利用者の属性項目を収集する。収集部２は、収集した属性項目を、属性決定部３に出力する。
【００８２】
属性決定部３は、収集部２で収集された属性項目に基づいて、利用者の属性を決定する。
【００８３】
コンテンツ記憶部４は、複数の表示コンテンツ１１０を記憶する。図２、図３などで説明したように、表示コンテンツ１１０は、テレビ放送やインターネット接続などである。コンテンツ記憶部４は、これらの表示コンテンツ１１０の中身そのものに加えて、初期画像１２０を構成するのに必要となるそれぞれの初期態様も記憶している。
【００８４】
判断部５は、属性決定部３で決定された利用者の属性と表示コンテンツ１１０との最適関係を判断する。属性決定部３では、利用者の属性が決定されている。これは図１などであれば、ホテルの部屋２０１の利用者の属性を決定している。すなわち、ある部屋２０１を利用する宿泊客の属性が決定されている。判断部５は、この利用者の属性に対して、コンテンツ記憶部４に記憶されているどの表示コンテンツ１１０を組み合わせるのが最適かを判断する。さらには、組み合わせる表示コンテンツ１１０の内で、優先度を決めることも判断できる。
【００８５】
初期画像構築部６は、判断部５における最適関係に基づいて、情報画面１０１に表示する初期画像１２０を構築する。最適関係は、利用者に最適な表示コンテンツの種類を示す対応関係を含む。必要に応じて、対応関係の中での表示コンテンツの優先度も含んでいる。この最適関係により、初期画像１２０に含むべき表示コンテンツ１１０を構築しつつ、優先度に応じて初期画像１２０に含まれる表示コンテンツ１１０の大きさを決定する。
【００８６】
ここで、図２、図３に示されるように、初期画像１２０は、表示コンテンツ１１０の初期態様の組み合わせで構成される。初期態様は、表示コンテンツ１１０のそれぞれの利用を開始するための入口である。利用者は、図２、図３のような初期画像１２０を見て、利用したい表示コンテンツ１１０を選択して電子的な操作をすることで、選択した表示コンテンツ１１０の利用を開始できる。
【００８７】
（動作例１：利用者が旅行で初めての宿泊の場合）
情報画面制御装置１の動作例１を説明する。施設２００がホテルであり、利用者が宿泊客であるとする。このとき、収集部２は、ホテルのフロントのチェックイン時の情報、あるいは利用者によるホテルの予約時の情報などから、属性項目を収集する。また、チェックイン時の手続きから利用者の部屋の番号も分かり、どの部屋の情報画面１０１を制御するべきかを、情報画面制御装置１は、判断できる。現在では、ホテルの予約もインターネット経由などであり、利用者の性別、年齢、国籍、利用目的などが分かるからである。また、チェックイン時においては、利用者の施設利用履歴などの情報も収集できる。
【００８８】
収集部２は、これらの属性項目を収集する。動作例１では、利用者が旅行で利用する目的であり、初めての利用であるなどを、属性項目として収集できる。
【００８９】
属性決定部３は、「若年層であり、旅行目的での利用であり、一人旅であり、本ホテルの利用が初めてであり、ホテルでの滞在や周辺での観光などを楽しみにしている男性」として、利用者の属性を決定できる。
【００９０】
判断部５は、コンテンツ記憶部４に記憶されている複数の表示コンテンツ１１０と利用者の属性との最適関係を判断する。ここでは、「利用者の属性から、ホテル案内、周辺観光案内、グルメマップ、インターネット接続、ＶＯＤの組み合わせが最適」との判断が、一例としてなされる。また、「利用者が初めての利用であることと旅行目的であることで、ホテル案内と周辺観光案内の優先度が高い」との判断も合わせて行われる。
【００９１】
判断部５で判断された最適関係に基づいて、初期画像構築部６は、図５に示されるような初期画像１２０を構築する。図５は、本発明の実施の形態１における動作例１により構築された初期画像の模式図である。
【００９２】
上述した動作例１での最適関係に基づいて構築された初期画像１２０は、大きな面積での「ホテル案内」と「周辺観光案内」の表示コンテンツ１１０が表示される。その横に、小さな面積での「グルメマップ」、「インターネット接続」、「ＶＯＤ」、「その他」の表示コンテンツ１１０が組み合されて表示される。
【００９３】
図５の初期画像１２０は、上述したような属性の利用者にとっては、図２や図３で示される他の初期画像１２０よりは適している。もちろん、図２、図３とは異なる既存の最大公約数的な初期画像１２０よりも適している。この初期画像１２０は、動作例１での利用者にとって便利であり、施設２００も利用者への高いサービスを実現できる。両者のいずれにも好ましい。
【００９４】
（動作例２：外国人ビジネスマンの場合）
次に、別の属性の利用者が同じくホテルを利用する場合を、動作例２として具体的な動作を説明する。なお、動作例１および動作例２は、情報画面制御装置１の具体的な動作を理解する一例であり、これに制限されない。また、動作例１、動作例２の中での説明や構築される初期画像１２０も、ここでの説明に限定されるものではない。
【００９５】
収集部２は、動作例１と同じように、予約時の情報やチェックイン時の情報から利用者の属性項目を収集する。また、利用者の宿泊する部屋の番号も特定して、情報画面制御装置１が、どの部屋の情報画面を制御すればよいかを把握できる。
【００９６】
収集部２は、動作例２での利用者が外国人でありビジネス利用であることなど、年齢や性別などの属性項目を収集できる。
【００９７】
属性決定部３は、収集部２で収集された属性項目に基づいて、「外国人であり、英語を使用言語とし、ビジネス目的での利用であり、当該ホテルの数回の利用履歴がある」として、利用者の属性を決定できる。
【００９８】
判断部５は、属性決定部３で決定された属性とコンテンツ記憶部４に記憶されている表示コンテンツ１１０と利用者の属性との最適関係を判断する。動作例２では、「利用者の属性から、英語表記であり、Ｉｎｔｅｒｎｅｔ、Ｎｅｔ  Ｖｉｄｅｏ、Ｍａｐ、Ｈｏｔｅｌ  Ｍａｐ、ＶＯＤ、Ｄｉｇｉｔａｌ  ＢＢ（Ｂｒｏａｄ  Ｂａｎｄ）、Ｅｎｇｌｉｓｈ  Ｎｅｗｓが最適な表示コンテンツ１１０の組み合わせである」との最適関係が判断される。加えて、「数回の利用履歴があることやビジネス目的であることに基づいて、これらの表示コンテンツ１１０のいずれを優先させるかについては、利用者に任せることが適当である」との判断も追加される。
【００９９】
判断部５でのこのような最適関係に基づいて、初期画像構築部６は、図６のような初期画像１２０を構築する。また初期画像構築部６は、情報画面１０１に、図６の初期画像１２０を表示させる。図６は、本発明の実施の形態１における動作例２での初期画像の模式図である。
【０１００】
図６では、上述の判断部５での最適関係および初期画像構築部６での構築によって生成されている。図６に示されるように、同じ面積での「Ｉｎｔｅｒｎｅｔ、Ｎｅｔ  Ｖｉｄｅｏ、Ｍａｐ、Ｈｏｔｅｌ  Ｍａｐ、ＶＯＤ、Ｄｉｇｉｔａｌ  ＢＢ（Ｂｒｏａｄ  Ｂａｎｄ）、Ｅｎｇｌｉｓｈ  Ｎｅｗｓ、Ｏｔｈｅｒｅｓ」の表示コンテンツ１１０の初期態様が表示される。また、いずれも英語表記であり、動作例２での利用者の使用言語に適している。
【０１０１】
図６の初期画像１２０は、上述したような属性の利用者にとっては、図２や図３で示される他の初期画像１２０よりは適している。もちろん、図２、図３とは異なる既存の最大公約数的な初期画像１２０よりも適している。この初期画像１２０は、動作例１での利用者にとって便利であり、施設２００も利用者への高いサービスを実現できる。両者のいずれにも好ましい。
【０１０２】
また、ホテルなどの施設２００は、複数の部屋２０１を備えている。この複数の部屋２０１のそれぞれに情報画面１０１が備わっている。部屋２０１のそれぞれを利用する利用者は、それぞれ異なる属性を有しているうえ、日替わりで利用者が変わっていく。情報画面制御装置１は、これらの複数の部屋２０１のそれぞれの情報画面１０１の初期画像１２０を個別に制御できる。このため、異なる属性の利用者がそれぞれの部屋２０１を利用する場合でも、利用者のそれぞれに最適な初期画像１２０が表示される。
【０１０３】
情報画面制御装置１は、施設２００全体のシステムに組み込まれて自動で初期画像１２０を構築する。このため、施設２００の管理者が、サーバー機器に記憶されるソフトウェアプログラムを変更するなどの作業を行う必要もなく、管理者にとっても便利である。もちろん、レベルの高いサービスを利用者に提供できるので、施設２００のビジネスにとってもプラスメリットがある。
【０１０４】
上述したように、動作例１、２以外の様々な動作や初期画像１２０の生成があり得る。
【０１０５】
次に、各部の詳細について説明する。
【０１０６】
（収集部）
収集部２は、属性項目を収集する。ここで、属性項目は、利用者の年齢、性別、国籍、使用言語、施設利用目的および施設利用履歴の少なくとも一つを含む。これらの属性項目に基づけば、利用者の属性の判断（初期画像１２０を構築するための属性の判断）が、できるからである。
【０１０７】
もちろん、ここに挙げた属性項目は一例であり、これらに限られるものではない。
【０１０８】
収集部２は、人為的な入力行為やネットワークを通じて収集された情報に基づいて、属性項目を収集できる。たとえば、施設２００が宿泊施設である場合には、収集部２は、利用者の予約情報もしくはチェックインの手続き情報から、属性項目を収集できる。
【０１０９】
現在では、利用者はインターネット経由で宿泊施設を予約する。インターネット予約を行う際には、氏名に加えて、年齢、性別、利用目的などを入力する。宿泊施設に備わる収集部２は、このインターネット予約と連動して、これらの情報から上述したような利用者の属性項目を収集できる。
【０１１０】
また、利用者は宿泊施設にてチェックインの手続きを行う。このとき、利用者の利用する部屋番号がわかる。また、使用言語や利用目的の詳細などの属性項目も収集できる。たとえば、フロントの担当者がチェックイン時にこれらを質問しながらチェックイン情報としてコンピューターに入力する。この入力作業は、情報画面制御装置１にネットワーク接続されており連動する。この結果、チェックイン時に得た情報を、収集部２が、属性項目として収集できる。
【０１１１】
また、予約時やチェックイン時において、利用者に様々な質問項目への回答を促すことで、更なる詳細な属性項目を収集することもできる。
【０１１２】
宿泊施設以外の施設２００であれば、利用時に確認する各種利用者情報を基にして、収集部２が、属性項目を収集すればよい。
【０１１３】
（表示コンテンツ）
コンテンツ記憶部４は、複数の表示コンテンツ１１０を記憶する。記憶される表示コンテンツ１１０は、コンテンツの中身を含むことでもよいし、初期画像１２０に表示される表示コンテンツ１１０の初期態様のみを含むことでもよい。表示コンテンツ１１０の種類によっては、リアルタイムに放送や通信されるものもある。この場合には、コンテンツ記憶部４は、初期態様のみを含むことでもよい。
【０１１４】
あるいは、ＶＯＤ（Ｖｉｄｅｏ  ｏｎ  Ｄｅｍａｎｄ）などは、コンテンツの中身も合わせて、コンテンツ記憶部４は、記憶しておけばよい。初期画像１２０で初期態様から選択された表示コンテンツ１１０を、情報画面にそのまま視聴可能に提供できるからである。
【０１１５】
複数の表示コンテンツ１１０は、テレビ放送、データ放送、ビデオコンテンツ、インターネット接続コンテンツ、施設情報コンテンツおよび周辺情報コンテンツの少なくとも一つを含む。もちろん、これらに限られず、施設２００の特性に対応する様々な表示コンテンツが含まれればよい。
【０１１６】
また、表示コンテンツ１１０は、コンテンツ記憶部４に記憶されるので、表示コンテンツ１１０のそれぞれを（初期態様も含めて）、アップデートされることも可能である。あるいは、新しい表示コンテンツ１１０が、コンテンツ記憶部４に追加されることも可能である。
【０１１７】
アップデートにおいては、サーバー機器が自動的にアップデートすることに合わせて、コンテンツ記憶部４が、表示コンテンツ１１０を自動的にアップデートすればよい。
【０１１８】
また、宿泊施設などは、施設情報コンテンツを利用者により訴えたいと考えることも多い。このため、コンテンツ記憶部４は、施設情報コンテンツを頻繁にアップデートしたり、中身を充実させたたり、他の表示コンテンツ１１０と関連させたりすることも好適である。
【０１１９】
（判断部）
判断部５は、上述の通り、利用者の属性と表示コンテンツ１１０の最適関係を判断する。図５、図６などで示したように、利用者の性別、年齢、利用目的などによって、どの表示コンテンツ１１０を初期画像１２０に含めるべきかを、最適関係として判断する。この最適関係は、利用者の属性のすべてを網羅する形で、表示コンテンツ１１０のいずれを対応させるかを決定してもよいし、選択した表示コンテンツ１１０の中での優先度を決定してもよい。優先度は、実際の初期画像１２０に表示される表示コンテンツ１１０の初期態様の面積として現れる。
【０１２０】
最適関係は、利用者の国籍と、複数の表示コンテンツ１１０の内、最適な表示コンテンツ１１０との対応関係を含むことも好適である。国籍によって、表示コンテンツ１１０の内、好むであろう表示コンテンツ１１０が変わるからである。たとえば、国籍が英国であれば、英国でのテレビ放送などの表示コンテンツ１１０を好むと考えられる。判断部５は、このような国籍に対応する最適関係を判断、決定する。
【０１２１】
あるいは、国籍と宗教とが結びついていると考えられる場合も多い。このような場合には、宗教上の戒律などで好ましくないと思われる表示コンテンツ１１０を選択しないように、最適関係が判断、決定される。
【０１２２】
最適関係は、利用者の使用言語と複数の表示コンテンツ１１０の使用言語との対応関係を含む。たとえば、決定された属性において、利用者の使用言語が中国語であれば、表示コンテンツ１１０の内、中国語の表示コンテンツ１１０を選択する。あるいは、表示コンテンツ１１０の表示や初期画像１２０の表示を中国語にて表示するようにする。
【０１２３】
もちろん、利用者の使用言語が英語であれば英語の表示コンテンツ１１０を選択する。あるいは、表示態様を英語とする。判断部５は、このような使用言語に合わせた表示コンテンツ１１０を初期画像１２０に含むような、あるいは、使用言語で作られている表示コンテンツ１１０を初期画像１２０に含むような最適関係を決定する。
【０１２４】
また、最適関係は、利用者の施設利用履歴と複数の表示コンテンツ１１０の内で、特別コンテンツとの対応関係を含むことも好適である。たとえば、コンテンツ記憶部４には、施設利用履歴の多い利用者専用の特別コンテンツを記憶している場合がある。たとえば、施設利用履歴の多い利用者は、プレミアムな利用者として、特典などを提供できる特別コンテンツを記憶している。
【０１２５】
判断部５は、属性に含まれる施設利用履歴に基づいて、これが多い利用者には、初期画像１２０に特別コンテンツを表示できる最適関係を決定できる。これにより、利用者は情報画面１０１を見た段階で、特別コンテンツを目にすることができる。これにより、情報画面１０１を操作して、特別コンテンツによる特典を受けることができるようになる。
【０１２６】
このような特別コンテンツを初期画面１２０で視聴可能とできることで、施設２００側も、利用者へのサービスを向上させることができる。この結果、利用者の利用の継続を促すことが期待でき、双方にとって好ましい状態となる。
【０１２７】
特別コンテンツは、たとえば、利用履歴に基づくポイントの景品への交換であったり、施設２００内部の割引券の提供であったりする。
【０１２８】
最適関係は、利用者の施設利用目的に基づいて、複数の表示コンテンツ１１０の内、施設情報コンテンツおよび周辺情報コンテンツの少なくとも一つを初期画像１２０に含む対応関係を含むことも好適である。
【０１２９】
利用者の施設２００の利用目的が旅行であれば、利用者は施設内部を楽しんだり、施設周辺を観光したりしたいと考える。このため、判断部５は、最適関係において、初期画像１２０に施設情報コンテンツおよび周辺情報コンテンツの少なくとも一つを含ませる。
【０１３０】
この結果、初期画像構築部６が構築する初期画像１２０に、施設情報コンテンツおよび周辺情報コンテンツの少なくとも一つが含まれるようになる。このような初期画像１２０を見た利用者は、自身の利用目的に合わせた表示コンテンツ１１０の利用をすぐに開始できる。
【０１３１】
ここで説明した最適関係は一例であり、属性に基づいて最適な表示コンテンツと利用者との対応関係を、最適関係として決定されればよい。また、初期画像１２０に表示すべき表示コンテンツ１１０の種類のみを最適関係とするだけでなく、選択した表示コンテンツ１１０の優先度も最適関係としてよい。優先度は、初期画像１２０に表示される表示コンテンツ１１０の初期態様の面積や位置などにより実現される。
【０１３２】
（初期画像構築部）
初期画像構築部６は、判断部５で判断された最適関係に基づいて、初期画像１０を構築する。この初期画像１２０には、最適関係で選択されている表示コンテンツ１１０の初期態様を含む。初期態様は、表示コンテンツ１１０の実際の中身の視聴の入口である。利用者は、初期態様を選択、操作することで、初期態様に対応する表示コンテンツ１１０の視聴や利用を開始できる。
【０１３３】
もちろん、初期画像１２０には、初期態様ではなく、表示コンテンツ１１０そのものが表示されてもよい。たとえば、初期画像１２０が分割表示となっており、それぞれの表示コンテンツ１１０の内容が表示状態となっていることでもよい。
【０１３４】
図５や図６のような初期画像１２０が表示されれば、利用者はいずれかの表示コンテンツ１１０を選択して、その利用を開始できる。ＶＯＤであれば、これを選択して視聴を開始できる。
【０１３５】
ここで、図１のように施設２００には多数の部屋２０１がある。この多数の部屋２０１のそれぞれに情報画面１０１が備わっている。部屋２０１のそれぞれを利用する利用者の属性は同時刻において様々であり、同じ部屋２０１を利用する利用者の属性は、時系列においてさまざまである。しかし、情報画面制御装置１による利用者の属性に合わせた初期画像１２０の表示により、利用者は部屋２０１の利用開始の際において、自分に最適な初期画像１２０を見ることができる。
【０１３６】
たとえば、ある部屋２０１に入室した利用者Ａは、利用者Ａに最適化された初期画像１２０を、情報画面１０１において見ることができる。別の部屋２０１においては、入室した利用者Ｂが、利用者Ａとは異なりうる自身に最適化された初期画像１２０を、情報画面１０１において見ることができる。これは、入室した時点で可能である。このため、利用者Ａも利用者Ｂも、自分で情報画面１０１を手間をかけて調整したりすることなく、初期画像１２０から表示コンテンツ１１０を利用できる。
【０１３７】
また、初期画像１２０の表示言語も、利用者の使用言語に合わされているので、利用者は惑うことなく初期画像１２０を理解して、初期画像１２０から表示コンテンツ１１０を利用することができる。利用者は、初期画像１２０に表示された表示コンテンツ１１０のいずれかを選択して、これを利用開始できる。
【０１３８】
ある部屋２０１において、翌日になって別の利用者Ｃが利用する場合でも、利用者の入れ替わりに合わせて情報画面制御装置１が、初期画像１２０を変化させることができる。たとえば、宿泊施設であれば、チェックアウトの際に情報画面制御装置１が、初期画像１２０をリセットし、チェックインの際に情報画面制御装置１が、新たな利用者に合わせた初期画像１２０をセットする。
【０１３９】
このように、施設２００の部屋２０１のそれぞれの情報画面１０１が次々と制御されていく。この結果、情報画面１０１の利用者の変化や相違に合わせて、最適な初期画像１２０を表示できる。
【０１４０】
（実施の形態２）
【０１４１】
次に、実施の形態２について説明する。
【０１４２】
（背景色の選択）
判断部５は、最適関係を決定する。この最適関係は利用者の属性に基づいている。初期画像構築部６は、この属性に基づいて、初期画像１２０の背景色を選択することも好適である。
【０１４３】
初期画像１２０の背景色は、表示する表示コンテンツ１１０を際立たせる効果がある。初期画像１２０に表示される表示コンテンツ１１０は、利用者の属性による最適関係によって決まる。このとき、表示コンテンツ１１０の初期態様が表示される。図６のような態様である。このような表示コンテンツ１１０によっては、背景色が濃色であるほうが表示コンテンツ１１０が目立つこともあるし、背景色が淡色であるほうが表示コンテンツ１１０が目立つこともある。
【０１４４】
あるいは、利用者の属性において、男性が好む背景色、女性が好む背景色などに選択することも好適である。あるいは、宗教上の理由で好ましい色味の背景色もあり得る。判断部５の判断に基づいて、初期画像構築部６は、初期画像１２０の背景色を利用者に最適化できる。
【０１４５】
背景色が利用者に最適化されることで、利用者の初期画像１２０の利用への印象が好ましくなる。
【０１４６】
（初期画像の例）
図７は、本発明の初期画像のイメージ図である。図８は、本発明の初期画像のイメージ図である。いずれも、実施の形態１，２で説明された情報画面制御装置１で生成されて表示される初期画像１２０の一例である。
【０１４７】
図７は、一例として、宿泊施設における日本人利用者の属性に対応する初期画像１２０を示している。観光案内などが表示されており、グルメへのいざないにつながる画像も含まれている。このような初期画像１２０を見ることにより、日本人利用者は、自身の目的に対応する情報を容易に得ることができる。特に、部屋に入った後で見る初期画像１２０であることで、非常に有用性が高い。
【０１４８】
図８は、一例として、宿泊施設における外国人利用者の属性に対応する初期画像１２０を示している。外国人向け（使用言語も一致している）のドラマなどが初期画像１２０に表示されている。これにより、宿泊施設において、外国人利用者は、自身の嗜好や言語に対応したコンテンツを楽しむことができる。特に、部屋に入った直後に見る初期画像１２０であることで、有用性が高い。
【０１４９】
このような、利用者の属性に応じた初期画像１２０が表示されることで、高いメリットがある。
【０１５０】
なお、実施の形態１〜２説明された情報画面制御装置は、本発明の趣旨を説明する一例であり、本発明の趣旨を逸脱しない範囲での変形や改造を含む。
【符号の説明】
【０１５１】
１    情報画面制御装置
２    収集部
３    属性決定部
４    コンテンツ記憶部
５    判断部
６    初期画像構築部
１００    受像機
１０１    情報画面
１１０    表示コンテンツ
１２０    初期画像
２００    施設
２０１    部屋
【図１】
2020127154.tif 000003
【図２】
2020127154.tif 000004
【図３】
2020127154.tif 000005
【図４】
2020127154.tif 000006
【図５】
2020127154.tif 000007
【図６】
2020127154.tif 000008
【図７】
2020127154.tif 000009
【図８】
2020127154.tif 000010
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
施設を利用する利用者の属性項目を収集する収集部と、
前記収集部で収集された前記属性項目に基づいて、前記利用者の属性を決定する属性決定部と、
複数の表示コンテンツを記憶するコンテンツ記憶部と、
前記属性決定部で決定された前記利用者の属性と、前記表示コンテンツとの最適関係を判断する判断部と、
前記判断部における前記最適関係に基づいて、情報画面に表示する初期画像を構築する初期画像構築部、と、を備え、
前記最適関係は、前記利用者の施設利用目的に基づいて、前記複数の表示コンテンツの内、施設情報コンテンツおよび周辺情報コンテンツの少なくとも一つを、前記初期画像に挿入する対応関係を含む、情報画面制御装置。
【請求項２】
前記属性項目は、前記利用者の年齢、性別、国籍、使用言語、施設利用目的および施設利用履歴の少なくとも一つを含む、請求項１記載の情報画面制御装置。
【請求項３】
前記施設が宿泊施設である場合に、
前記収集部は、前記宿泊施設における前記利用者の予約情報もしくはチェックインの手続き情報から、前記属性項目を収集する、請求項１または２記載の情報画面制御装置。
【請求項４】
前記複数の表示コンテンツは、テレビ放送、データ放送、ビデオコンテンツ、インターネット接続コンテンツ、施設情報コンテンツおよび周辺情報コンテンツの少なくとも一つを含む、請求項１から３のいずれか記載の情報画面制御装置。
【請求項５】
前記最適関係は、前記利用者の国籍と、前記複数の表示コンテンツの内、最適な表示コンテンツとの対応関係を含む、請求項１から４のいずれか記載の情報画面制御装置。
【請求項６】
前記最適関係は、前記利用者の使用言語と、前記複数の表示コンテンツの使用言語との対応関係を含む、請求項１から５のいずれか記載の情報画面制御装置。
【請求項７】
前記最適関係は、前記利用者の施設利用履歴と、前記複数の表示コンテンツが含む特別コンテンツとの対応関係を含む、請求項１から６のいずれか記載の情報画面制御装置。
【請求項８】
前記初期画像は、前記最適関係で選択された前記表示コンテンツの初期態様を、一つの画像に含む、請求項１から７のいずれか記載の情報画面制御装置。
【請求項９】
前記初期画像構築部は、前記初期画像の背景色を、前記属性に基づいて選択する、請求項１から８のいずれか記載の情報画面制御装置。
【請求項１０】
前記初期画像構築部により構築された前記初期画像は、前記利用者によって選択された前記表示コンテンツの利用を可能とする、請求項１から９のいずれか記載の情報画面制御装置。
【手続補正２】
【補正対象書類名】明細書
【補正対象項目名】００２９
【補正方法】変更
【補正の内容】
【００２９】
上記課題に鑑み、本発明の情報画面制御装置は、施設を利用する利用者の属性項目を収集する収集部と、
収集部で収集された属性項目に基づいて、利用者の属性を決定する属性決定部と、
複数の表示コンテンツを記憶するコンテンツ記憶部と、
属性決定部で決定された利用者の属性と、表示コンテンツとの最適関係を判断する判断部と、
判断部における最適関係に基づいて、情報画面に表示する初期画像を構築する初期画像構築部、と、を備え、
前記最適関係は、前記利用者の施設利用目的に基づいて、前記複数の表示コンテンツの内、施設情報コンテンツおよび周辺情報コンテンツの少なくとも一つを、前記初期画像に挿入する対応関係を含む。